(57)【要約】【課題】従来防犯灯は高所位置に取り付けされている。そのため、台風、強風、豪雪等により器具の取り付け金具だけては耐えきれなく曲がったり、折れたりした。電球カバーも、破損し吹き飛んだり危険であった。その危険を解決する防犯灯強化金具を提供する。【解決手段】まず最初に補強金具３を、電柱等に取り付けバンド１１で固定する。補強金具３のもう一方はマジックテープ８の付いたバンド９で、照明器具１０に締め付けながらとめる。また金具３には蝶番５が付いているので、どんなメーカーの照明器具１０でも角度が合い、取り付け可能になる。又、金具３と照明器具１０の間にゴムパッキン７が、付いている為、照明器具１０も傷がつかず、滑り止めにもなる。また、マジックテープ８を、はがしてランプ交換することができる。【選択図】図１
0003159680.tif 000002
【実用新案登録請求の範囲】
【請求項１】
電柱等に防犯灯を取り付ける金具であって、金具には蝶番がついていて防犯灯の電柱等との角度に会わせることが出来るようにした防犯灯強化金具。
【請求項２】
照明器具を取り付けるマジックテープ付のバンドをもうけ。ランプの取替もスムーズに出来るようにした請求項１に記載の防犯灯強化金具。
【考案の詳細な説明】
【技術分野】
【０００１】本考案は、防犯灯の強度を図った、補強金具に関するものである。
【背景技術】
【０００２】従来は、図３に例示したように直接電柱等に照明器具本体を．１本のバンド１１等で取り付けしていた。
したがって．台風、豪雪、などでカバーや灯具が破損する原因であった。
【考案の概要】
【考案が解決しょうとする課題】
【０００３】以上に述べた防犯灯取り付け方では、台風や強風、豪雪に弱かった。
その為、照明器具の強度を増す必要があった。本考案は、このような従来の問題を解決するものである。
【課題を解決するための手段】
【０００４】請求項１は電柱等に防犯灯を取り付ける金具であって、金具には蝶番が付いていて防犯灯の電柱等との角度に合わせることが出来るようにした防犯灯補強金具である。
【０００５】請求項２は照明器具本体をとりつける、マジックテープ付のバンドをもうけ、ランプの取替もスムーズに出来るようにした防犯灯補強金具である。
【考案の効果】
【０００６】本考案によれば台風、強風、豪雪等から照明器具が、保護されランプ交換も楽にできる。
【図面の簡単な説明】
【０００７】
【図１】電柱等に、照明器具を補強金具を用いて取り付けされた側面図である。
【図２】防犯灯補強金具の全体図である
【図３】従来の防犯灯の一例を示す図ある。
【図４】防犯灯補強金具の別の形態を示す全体図である。
【考案を実施するための形能】
【０００８】図３に示すように、これまでは電柱等１２に照明器具本体１０を１本のバンド１１で取り付け、かつ、アクリルカバーの保護のため、照明器具本体１０のアクリルかばーをビニールテープ及び電線等１３でしばっていた。
本考案は図１に示すように、照明器具本体１０を電柱１２に、補強金具３の一端および既存の取り付けバンド１１で固定する。
そして、補強金具の別の一端を、マジックテープ８付バンド９で照明器具本体１０に固定する
又、蝶番５を付けるようにして、様々のメーカーの角度の違った照明器具本体１０に対しても、取り付け可能とした。
その為ランプの取替もマジックテープ８をはがすだけでスムーズに繰り返し行うことが出来る。又、ゴムパッキン７を付けるようにしたので照明器具本体１０に傷が付かず、滑り止めにもなる。又、マジックテープ付バンド９は図４に示す構造１４にして補強金具３と照明器具本体１０に固定することもできる。
【符号の説明】
【０００９】１    取付バンド止め
２    木柱取付ビス穴
３    補強金具
４    蝶番ビス
５    蝶番
６    バンド止めビス
７    ゴムパッキン
８    マジックテープ
９    器具保護バンド
１０  照明器具本体
１１  取り付バンド
１２  電柱等
１３  ビニールテープ及電線等
１４  器具保護バンド
【図１】
0003159680.tif 000003
【図２】
0003159680.tif 000004
【図３】
0003159680.tif 000005
【図４】
0003159680.tif 000006
【手続補正書】
【提出日】平成21年12月17日(2009.12.17)
【手続補正１】
【補正対象書類名】明細書
【補正対象項目名】全文
【補正方法】変更
【補正の内容】
【考案の詳細な説明】
【技術分野】
【０００１】本考案は、防犯灯の強度を図った、補強金具に関するものである。
【背景技術】
【０００２】従来は、図３に例示したように直接電柱に照明器具本体を、１本のバンド１１等で取り付けしていた。したがって、台風、豪雪、などでカバーや灯具が破損する原因であった。
【考案の概要】
【考案が解決しょうとする課題】
【０００３】以上に述べた防犯灯取り付け方では、台風や強風、豪雪に弱かった。その為、照明器具の強度を増す必要があった。本考案は、このような従来の問題を解決するものである。
【問題を解決するための手段】
【０００４】請求項１は電柱または壁面に防犯灯を取り付ける金具であって、金具には蝶番が付いていて防犯灯の電柱または壁面との角度に合わせることが出来るようにした防犯灯補強金具である。
【０００５】請求項２は照明器具本体をとりつける、マジックテープ（登録商標）８付のバンドをもうけ、ランプの取替もスムーズに出来るようにした防犯灯補強金具である。
【考案の効果】
【０００６】本考案によれば台風、強風、豪雪等から照明器具が、保護されランプ交換も楽にできる。
【図面の簡単な説明】
【０００７】
【図１】電柱に、照明器具を補強金具を用いて取り付けされた側面図ある。
【図２】防犯灯補強金具の全体図である。
【図３】従来の防犯灯の一例を示す図である。
【図４】防犯灯補強金具の別の形能を示す全体図である。
【考案を実施するための形能】
【０００８】図３に示すように、これまでは電柱１２に照明器具本体１０を１本のバンド１１で取り付け、かつ、アクリルカバーの保護のため、照明器具本体１０のアクリルカバーをビニールテープ及び電線等１３でしばっていた。本考案は図１に示すように、照明器具本体１０を電柱１２に、補強金具３の一端および既存の取り付けバンド１１で固定する。そして、補強金具の別の一端を、マジックテープ（登録商標）８付バンド９で照明器具本体１０に固定する。又、蝶番５を付けるようにして、様々のメーカーの角度の違った照明器具本体１０に対しても、取り付け可能とした。その為ランプの取替もマジックテープ（登録商標）８をはがすだけでスムーズに繰り返し行うことが出来る。又、ゴムパッキン７を付けるようにしたので照明器具本体１０に傷が付かず、滑り止めにもなる。又、マジックテープ（登録商標）８付バンド９は図４に示す構造１４にして補強金具３と照明器具本体１０に固定することもできる。
【符号の説明】
【０００９】１    取付バンド止め２    木柱取付ビス穴３    補強金具４    蝶番ビス５    蝶番６    バンド止めビス７    ゴムパッキン８    マジックテープ（登録商標）９    器具保護バンド１０  照明器具本体１１  取り付バンド１２  電柱１３  ビニールテープ及電線等１４  器具保護バンド
【手続補正２】
【補正対象書類名】実用新案登録請求の範囲
【補正対象項目名】全文
【補正方法】変更
【補正の内容】
【実用新案登録請求の範囲】
【請求項１】
電柱または壁面に防犯灯取り付ける金具であって、金具の一端に蝶番を有することを特徴とする防犯灯補強金具。
【請求項２】
請求項１に記載の蝶番に照明金具を取り付けるマジックテープ（登録商標）付のバンドを設けた防犯灯補強金具。
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
電柱または壁面に防犯灯を取り付ける金具であって、金具の一端に蝶番を有することを特徴とする防犯灯補強金具。
【請求項２】
前記蝶番に照明器具を取り付けるマジックテープ（登録商標）付のバンドを設けた請求項１に記載の防犯灯補強金具。